(57)【要約】【課題】波形状を付与しながら極めて薄く食材を加工する食材スライサーを提供する。【解決手段】食材スライサー１は、食材４を摺動させる第１・第２滑走面２１，２３が形成された本体２と、第１・第２滑走面２１，２３の間に設けられた刃部２２と、第１滑走面２１と刃部２２との間に設けられた開口部２４と、を備える。刃部２２は、連続的な波で構成された波形断面を有する。第１・第２滑走面２１，２３は、それぞれ、刃部２２の断面とほぼ同一形状の断面を有する。第１滑走面２１は、第１滑走面２１の断面が刃部２２の断面に対して垂直方向下側に平行移動した状態で刃部２２の上面より０．１ｍｍ〜３ｍｍ下側の位置に配置される。第２滑走面２３は、第２滑走面２３の断面が刃部２２の断面と合致するよう刃部２２と同一高さに配置され、波の波高が２ｍｍ以上であることを特徴とする。【選択図】図４
0003183827.tif 000002
【実用新案登録請求の範囲】
【請求項１】
食材を摺動させる第１滑走面及び第２滑走面が形成された本体と、
前記第１・第２滑走面の間に設けられかつ前記食材を切断する刃部と、
前記第１滑走面と前記刃部との間に設けられた開口部と、
を備え、かつ、
前記刃部は、前記食材の摺動方向を横切る方向に、連続的な波で構成された波形断面を有し、
前記第１・第２滑走面は、それぞれ、前記摺動方向を横切る方向に前記刃部の前記断面とほぼ同一形状の断面を有し、
前記第１滑走面は、前記第１滑走面の前記断面が前記刃部の前記断面に対して垂直方向下側に平行移動した状態で前記刃部の上面より０．１ｍｍ〜３ｍｍ下側の位置に配置され、
前記第２滑走面は、前記第２滑走面の前記断面が前記刃部の前記断面と合致するよう前記刃部と同一高さに配置され、
前記波の波高が２ｍｍ以上であることを特徴とする食材スライサー。
【請求項２】
前記本体の裏面に、かつ、前記開口部に隣接した前記第１滑走面の一端付近又は前記刃部の設置場所に対応した位置に、機械的強度を高めるための支持部材がさらに設けられることを特徴とする請求項１に記載の食材スライサー。
【請求項３】
前記刃部の設置場所に対応した位置に設けられた前記支持部材には、前記開口部から前記裏面の側に導出される食材片の進行を円滑にする排出ガイドがさらに設けられることを特徴とする請求項２に記載の食材スライサー。
【請求項４】
前記本体と前記支持部材とが、樹脂原料から一体に成形されていることを特徴とする請求項２又は３に記載の食材スライサー。
【請求項５】
前記食材を把持固定可能な食材ホルダーをさらに備えることを特徴とする請求項１〜４のいずれかに記載の食材スライサー。
【請求項６】
請求項１〜５のいずれかに記載の食材スライサーと、
前記食材スライサーによって切断された食材片を載置可能な載置部材と、
を備えた電子レンジ調理用チップスメーカー。
【請求項７】
前記載置部材には、前記食材片を部分的に支える複数の凸部が設けられていることを特徴とする請求項６に記載の電子レンジ調理用チップスメーカー。
【考案の詳細な説明】
【技術分野】
【０００１】
本考案は、一般家庭において、じゃが芋、大根などの食材（塊状の食材）を所定の厚さのまま薄く切断可能な手動式の食材スライサーに関するものである。特に、切断刃の長手方向の断面に、波状等の凹凸形状を有した食材スライサーに関するものである。さらに、本考案は、上述のスライサーを備えた電子レンジ調理用チップスメーカーに関するものである。
【背景技術】
【０００２】
野菜、果物、チーズ、肉類などの食材を手動でスライスする器具には多種多様なものが存在する。例えば、平坦板状の本体に刃部が設けられた食材用スライサーが知られている。このような本体には、通常、食材を押し当てながら刃部の前後（例えば、板状体の長手方向）に食材を摺動させる第１・第２滑走面が設けられ、このうちの第１滑走面と刃部との間には、所定間隔を有した段差と開口部とがさらに設けられている。このような従来のスライサーを使用する際には、第１滑走面上を移動する食材が段差と開口部とを通過することにより、この所定間隔に対応した厚さで食材が切断・分離されるのである。なお、上記間隔を調整可能なスライサーも既に知られている（特許文献１を参照）。
【０００３】
刃部には、一般に、その長手方向の断面が平らな形状（つまり直線状）を成すもの（以下、「平刃状の刃部」又は「平刃」とも呼ぶ。）が多く使われているが、波状の断面形状を成す刃部（以下、「波刃状の刃部」又は「波刃」とも呼ぶ。）を備えたスライサーも見受けられる。
【０００４】
平刃状の刃部２２ｆを用いた場合、この刃部２２ｆによって切断される食材片５の断面は、刃部断面に対応して平らに形成されるようになる（図１（ａ）〜（ｃ）を参照）。一方、波刃状の刃部２２ｗを用いた場合、食材片５の断面は波状に形成されるようになる（図１（ｄ）〜（ｆ）を参照）。なお、波状断面を有した食材片５は、これを調理する際に調味料が絡み易く、調理後にこれを食べる際には噛み応えが良くなるなど、幾つかの利点がある。
【０００５】
（課題１．平刃及び波刃に共通する問題（刃の撓み））
しかしながら、スライサーに設けられた刃部２２がいずれの形状（２２ｆ，２２ｗ）であっても、スライサーを使用する際に共通して生じる刃部２２の撓みの問題があった。
【０００６】
図２（ａ）に、スライサー上で食材４を切断する際にスライサーが食材４から受ける力やその力によってスライサーに生じる変形の状態を示す。この種のスライサーを使用する場合、先ず、図示しない素手もしくは食材ホルダーで食材４を把持しつつスライサーの第１滑走面２１に対し食材４を押し付けながら、食材４を刃部２２及び第２滑走面２３に向けて第１滑走面２１上に移動させる。そして、食材４が刃部２２に近づいたとき（以下、「スライス直前時」とも呼ぶ）には、第１滑走面２１の一端２１ａは、食材４（図中、４ａ）から、矢印Ａに向いた力のみならず矢印Ｂに向いた押圧力Ｆを受けるようになる。一端２１ａは通常薄く形成されかつ開口部２４に隣接しているため、このスライス直前時の押圧力Ｆにより、この一端２１ａは、矢印Ｂの向きに無視できない距離ｄ１の弾性変形（撓み）が生じてしてしまう。
【０００７】
次に、食材４が第１滑走面２１上を矢印Ａの方向にさらに進み、食材４が刃部２２上に差し掛かったとき（以下、「スライス開始時」とも呼ぶ）には、第１滑走面２１の一端２１ａのみならず刃部２２も食材４（図中、４ｂ）から上述の押圧力Ｆを受けるようになる。この時点では、開口部２４に隣接した刃部２２の一端２２ａも、押圧力Ｆにより、第１滑走面２１の一端２１ａの場合と同様に、矢印Ｂの向きに無視できない距離ｄ２の弾性変形（撓み）が生じてしてしまう。
【０００８】
しかしながら、その後、食材４が刃部２２上をほぼ通過し、第２滑走面２３上を走行するとき（以下、「スライス終了時」とも呼ぶ）には、食材４（図中、４ｃ）からの上述の押圧力Ｆの大半を第２滑走面２３で受け止めるため、第１滑走面２１の一端２１ａにも刃部の一端２２ａにも弾性変形は発生せず、各変形距離ｄ１，ｄ２は零または無視できる程度になることが予想される。
【０００９】
このように、従来のスライサーを使用した場合には、スライス開始から終了までの時間に対応した食材４の走行位置によって、第１滑走面２１の一端２１ａや刃部の一端２２ａが受ける押圧力Ｆは、時々刻々と変化する。これにより、刃部２２によって切断された食材片５の形状も変化してしまう。例えば、食材片５は、切断進行方向にその厚みｔが変動し、つまり、一定の厚みｔが確保されなくなるといった不具合があった。
【００１０】
さらに、スライサーの段差を狭く設定していた場合には、食材４が刃部２２を完全に通過する前に、食材片５が切断分離され、切断前の食材４の完全な断面状態を残さない中途半端な状態の食材片５が作成されてしまう場合もあった（図２（ｂ）及び（ｃ）を参照）。
【００１１】
（課題２．波刃特有の高度な加工条件）
加えて、波刃２２ｗを備えたスライサーを使用する場合はさらに高度な加工（スライス）条件が要求される。
【００１２】
平刃２２ｆを使用した場合、加工のために食材４を前後に摺動させる際に、食材４の第１滑走面２１に対して横方向（滑走面の幅方向）にずれてしまったり、食材４が第１滑走面２１の垂直方向に回転してしまったりしても、第１滑走面２１の先に位置する平刃２２ｆの長手方向断面は単純な直線状を成すため、基本的には扁平な矩形断面を有した食材片５を作成することが可能である（図１（ｃ）を参照）。
【００１３】
これに対し、波刃２２ｗを使用して、加工対象の食材４（食材片５）を連続的に切断する場合には、この食材４には既に一加工前の波形状が第１滑走面２１と接触する面Ｃ１に付与されており、この波形状が次の食材加工面Ｃ２にも付与されるよう、食材４は第１滑走面２１に対しそのまま垂直（つまり鉛直方向）に平行移動しながら第１滑走面２１上を摺動する必要がある（図３（ａ）を参照）。この加工条件が満足されれば、図１（ｆ）及び図３（ａ）に示すような望ましい形状を有した見栄えの良い食材片５が得られる。
【００１４】
しかしながら、この切断形状の面Ｃ１に対して次の食材加工面Ｃ２が少しでも横方向（左右）にずれた状態で食材４が移動してしまったり（図３（ｂ）を参照）、食材４が第１滑走面２１上で摺動する際に食材４が回転してしまったりする（図３（ｃ）を参照）と、一定の肉厚ｔを有した波状の食材片５が作れなくなる。特に、段差を狭く設定した場合には、図２（ｃ）に示した加工形状と図３（ｂ）又は図３（ｃ）に示した加工形状とが組み合わさり、ユーザーの需要を満足しない中途半端な状態の食材片５が形成されてしまうといった不具合もあった。
【００１５】
この波刃２２ｗ特有の不具合が顕著に表面化しないように、従来のスライサーでは、段差を広くしたもの（例えば３ｍｍを超える段差を有するもの）が多く使用されている。しかしながら、この対策では、一般家庭において、波形状が付いた極めて薄切りの食材片５を作り出すことができない。なお、本願の出願人は、平刃２２ｆを用いた電子レンジ調理用チップスメーカーを提案しているが（特許文献２参照）、この技術だけでは波形状が付いた極めて薄切りのじゃが芋片を作りだすことは困難であった。
【先行技術文献】
【特許文献】
【００１６】
【特許文献１】特開平１１−３１８７２４号公報
【特許文献２】特許第４５０４４３２号公報
【考案の概要】
【考案が解決しようとする課題】
【００１７】
本考案は、従来の食材スライサーが有する欠点等、従来の実情に鑑みて提案されたものであり、波形の断面と、極めて薄い一定の厚みと、を有した食材片を作り出すことが可能な食材スライサーを提供することを目的とする。
【００１８】
さらに、本考案の別の目的は、極めて薄い一定の厚みを有した食材片を作り出し、さらにこの食材片を電子レンジで調理可能とする電子レンジ調理用チップスメーカーを提供することを目的とする。
【課題を解決するための手段】
【００１９】
本考案者は、鋭意検討した末、上述の平刃及び波刃に共通する問題（刃の撓み）に対しては、上記押圧力Ｆに十分に耐えられるような支持構造を見出すとともに、上述の波刃特有の高度な加工条件に対処するために食材の横ずれと回転を抑制できる構造をも見出し、本考案を完成するに至った。
【００２０】
すなわち、本考案は、例えば、次の構成・特徴を採用するものである。
【００２１】
（態様１）
食材を摺動させる第１滑走面及び第２滑走面が形成された本体と、
前記第１・第２滑走面の間に設けられかつ前記食材を切断する刃部と、
前記第１滑走面と前記刃部との間に設けられた開口部と、
を備え、かつ、
前記刃部は、前記食材の摺動方向を横切る方向に、連続的な波で構成された波形断面を有し、
前記第１・第２滑走面は、それぞれ、前記摺動方向を横切る方向に前記刃部の前記断面とほぼ同一形状の断面を有し、
前記第１滑走面は、前記第１滑走面の前記断面が前記刃部の前記断面に対して垂直方向下側に平行移動した状態で前記刃部の上面より０．１ｍｍ〜３ｍｍ下側の位置に配置され、
前記第２滑走面は、前記第２滑走面の前記断面が前記刃部の前記断面と合致するよう前記刃部と同一高さに配置され、
前記波の波高が２ｍｍ以上であることを特徴とする食材スライサー。
（態様２）
前記本体の裏面に、かつ、前記開口部に隣接した前記第１滑走面の一端付近又は前記刃部の設置場所に対応した位置に、機械的強度を高めるための支持部材がさらに設けられることを特徴とする態様１に記載の食材スライサー。
（態様３）
前記刃部の設置場所に対応した位置に設けられた前記支持部材には、前記開口部から前記裏面の側に導出される食材片の進行を円滑にするガイドがさらに設けられることを特徴とする態様２に記載の食材スライサー。
（態様４）
前記本体と前記支持部材とが、樹脂原料から一体に成形されていることを特徴とする態様２又は３に記載の食材スライサー。
（態様５）
前記食材を把持固定可能な食材ホルダーをさらに備えることを特徴とする態様１〜４のいずれかに記載の食材スライサー。
（態様６）
態様１〜５のいずれかに記載の食材スライサーと、
前記食材スライサーによって切断された食材片を載置可能な載置部材と、
を備えた電子レンジ調理用チップスメーカー。
（態様７）
前記載置部材には、前記食材片を部分的に支える複数の凸部が設けられていることを特徴とする態様６に記載の電子レンジ調理用チップスメーカー。
【考案の効果】
【００２２】
本考案の食材スライサーは、上述の構成・特徴を採用するため、所望の波形断面と、極めて薄く一定の厚みと、を有した食材片を作り出すことができる。
【００２３】
具体的には、本考案の食材スライサーは、食材を摺動させる第１・第２滑走面及びこの食材を切断する刃部を有し、これらの要素の横方向（摺動方向を横切る方向）の断面はいずれも、同一の波形状を有し、かつ、波形状における連続する山と谷の各位置が互いに一致するように配置されている。しかも、波形状を構成する波の波高が所定値以上に設定されている。従って、食材スライサーを使用すれば、このような独特な断面を有する第１・第２加工面及び刃部上を食材が当該断面の軌道に沿って安定して走行するため、食材の第２加工面が、一つ前の第１加工面に対して、横方向にずれたり、滑走面上で回転したりする等の不具合が殆ど起こらない。
【００２４】
また、本体の主な構成要素たる第１・第２滑走面上には、上記所定値以上の波高を有する波状断面（大きくうねった溝）が連続的に形成されているため、本体自体の機械的強度や剛性が向上し、食材から受ける押圧力に十分に耐え、上述の滑走面や刃部での撓みを抑制することができる。つまり、本考案によれば、食材を第１・第２滑走面上を摺動させることで、極めて薄くかつ切断開始位置から切断終了位置まで一定の厚みを有する食材片を提供することが可能な食材スライサーを提供することができる。
【００２５】
また、本考案の好適な態様によれば、本体の裏面に、かつ、開口部に隣接した第１滑走面の一端付近又は刃部の設置場所に対応した位置に機械的強度を高めるための支持部材がさらに設けられる。これにより、第１滑走面の一端付近又は刃部など従来製品では撓みが発生し易かった箇所でも、機械的強度や剛性が局所的に向上し、食材から受ける押圧力に十分に耐え、上述の刃の撓みを無くすことができる。
【００２６】
また、本考案の好適な態様によれば、前記刃部の設置場所に対応した位置に設けられた前記支持部材には、前記開口部から前記裏面の側に導出される食材片の進行を円滑にするガイドがさらに設けられる。これにより、食材を切断する最中に、当該支持部材によって刃部の撓みが抑制されるとともに、刃部によって切断された食材片は、開口部を出た後に当該支持部材に衝突することなくスムーズに食材スライサーから排出されることになる。
【００２７】
さらに、本考案によれば、上述の食材スライサーに、この食材スライサーによって切断された食材片を載置可能な載置部材と、を組み合せることで、極めて薄い厚みを有した食材片を作り出し、さらにこの食材片を電子レンジで調理可能とする電子レンジ調理用チップスメーカーを提供することが可能となる。本考案により、従来、比較的厚い矩形断面のチップスしか調理できなかった一般家庭において、超薄切りのチップスや波状断面を有した超薄切りのチップスを容易かつ簡便に調理することができるようになり、チップス調理の幅が各段に広がるようになる。
【図面の簡単な説明】
【００２８】
【図１】従来のスライサーの刃部に、平刃を使用した場合と波刃を使用した場合に加工される食材片を説明した図である。
【図２】従来のスライサーの刃部に発生する押圧力及び撓みと、この撓みが食材片に及ぼす影響と、を説明した図である。
【図３】波刃特有の加工条件を充足しながら加工された食材片の例と、当該加工条件を充足せずに加工された食材片の一例を示した図である。
【図４】実施例１の食材スライサーの斜視図である。
【図５】実施例１の食材スライサーの平面図である。
【図６】図５のＡ−Ａ線とＢ−Ｂ線とで破断された断面図を示した図である。
【図７】実施例１の食材スライサーの右側面図と左側面図を示した図である。
【図８】実施例２の電子レンジ調理用チップスメーカーの各構成要素を示した図である。
【図９】実施例２の電子レンジ調理用チップスメーカーの使用方法を説明した図である。
【考案を実施するための形態】
【００２９】
以下、本考案を図面に示す実施例に基づき説明するが、本考案は、下記の具体的な実施例に何等限定されるものではない。なお、各図において同一又は対応する要素には同一符号を用いる。
【実施例１】
【００３０】
（食材スライサーの構造・特徴）
図４（ａ）は、本考案の実施例１に係る食材スライサー１を示した斜視図であり、一方、図４（ｂ）は、図４（ａ）とは異なる位置から見た食材スライサー１の斜視図である。この食材スライサー１は、主として、食材４を摺動させる第１滑走面２１及び第２滑走面２３が形成された本体２と、第１・第２滑走面２１，２３の間に設けられかつ食材４を切断する刃部２２と、第１滑走面２１と刃部２２との間に設けられた開口部２４と、を備えるものである。
【００３１】
ここで、刃部２２は、食材４の摺動方向を横切る方向に、連続的な波で構成された波形断面を有する。そして、この刃部２２の配置・断面構造に対して、第１・第２滑走面２１，２３の配置・断面構造を下記のように設定していることに留意されたい。
【００３２】
（主要構成要素の断面形状・寸法、及び、相対的な位置関係）
（１）第１・第２滑走面２１，２３は、それぞれ、前記摺動方向を横切る方向に刃部２２の断面とほぼ同一形状の断面を有し（図６（ａ）及び図６（ｂ）を参照）、
（２）第１滑走面２１は、当該第１滑走面２１の断面が刃部２２の断面に対して垂直方向下側に平行移動した状態で刃部の上面より０．１ｍｍ〜３ｍｍ下側（好ましくは、０．５ｍｍ〜２ｍｍ、さらに好ましくは１ｍｍ〜１．５ｍｍ）の位置に配置され（図６（ａ）に示す符号Ｄを参照）、
（３）第２滑走面２３は、当該第２滑走面２３の断面が刃部２２の断面と合致するよう刃部２２と同一高さに配置され（図６（ｂ）を参照）、
（４）波の波高Ｗｈが２ｍｍ以上（好ましくは３ｍｍ〜６ｍｍ）であること、を特徴とする。なお、ここで、波高Ｗｈとは、周期性を有する波のうちの山部に係る最も高い地点と、谷部に係る最も低い地点と、の高低差（つまり、波の高さ）を意味する。
【００３３】
（本明細書における波形状の定義）
なお、本明細書において、第１・第２滑走面２１，２３及び刃部２２の各断面の波形状は、用語「波」が有する本来の意味を想起させる形状だけでなく、谷のみ、山のみ、又は凹凸が周期的に連続した形状、連続した鋸形状、なども含むものであると解釈されたい。
【００３４】
本考案の食材スライサー１は、上述の構成・特徴を採用するため、所望の波形断面と、極めて薄く一定の厚みと、を有した食材片５を作り出すことができる。
【００３５】
具体的には、各構成要素（食材４を摺動させる第１・第２滑走面２１，２３及びこの食材４を切断する刃部２２）の横方向（摺動方向を横切る方向）の断面はいずれも、同一の波形状を有し、かつ、波形状における連続する山と谷との各位置が互いに一致するように配置されている。しかも、波形状を構成する波の波高Ｗｈが上記所定値以上に設定されている。
【００３６】
（本考案の作用効果１：  食材の安定走行）
従って、食材スライサー１を使用すれば、このような独特な断面を有する第１・第２加工面２１，２３及び刃部２２上を食材４（の第１加工面Ｃ１）が当該断面の各溝（軌道）に嵌まった状態でかつ当該軌道に沿って安定して走行するため、食材４の第２加工面Ｃ２が、一つ前の第１加工面Ｃ１に対して、横方向にずれたり、第１滑走面２１上で回転したりする等の不具合が殆ど起こらない。
【００３７】
（本考案の作用効果２：  機械的強度や剛性の向上、撓みの抑制）
また、本体２の主な構成要素たる第１・第２滑走面２１，２３及び刃部２２上には、上記所定値以上の波高Ｗｈを有する波状断面（大きくうねった溝）が連続的に形成されているため、本体２自体の機械的強度や剛性が向上し、食材４から受ける押圧力Ｆに十分に耐え、第１滑走面２１の一端２１ａや刃部２２の一端２２ａでの撓みを抑制することができる。つまり、本考案によれば、食材４を第１・第２滑走面２１，２３上を摺動させることで、極めて薄くかつ切断開始位置から切断終了位置まで一定の厚みを有する食材片５を提供することが可能な食材スライサー１を提供することができる。
【００３８】
（食材スライサーの支持部材）
また、本考案の食材スライサー１においては、好ましくは、本体２の裏面に、かつ、開口部２４に隣接した第１滑走面２１の一端２１ａ付近又は刃部２２の設置場所に対応した位置に機械的強度を高めるための支持部材２５，２６がさらに設けられる。これにより、第１滑走面２１の一端２１ａ付近又は刃部２２など、従来製品では撓みが発生し易かった箇所においても、機械的強度や剛性が局所的に向上し、食材４から受ける押圧力Ｆに十分に耐え、第１滑走面２１や刃部２２での上述の撓みを無くすことができる。
【００３９】
また、本考案の食材スライサー１においては、好ましくは、刃部２２の設置場所に対応した位置に設けられた支持部材２６には、開口部２４から本体２の裏面側に導出される食材片５の進行を円滑にする排出ガイド２６ａがさらに設けられる。これにより、食材４を切断する最中に、当該支持部材２６によって刃部２２の撓みが抑制されるとともに、刃部２２によって切断された食材片５は、開口部２４を出た後に当該排出ガイド２６ａによってその移動が規制されるため、当該支持部材２６に衝突することなくスムーズに食材スライサー１から排出されることになる。つまり、食材スライサー１の第１・第２滑走面２１，２３上を食材４が前後に一往復する毎に加工される食材片５は、支持部材２６等に引っ掛かることなくすんなりと食材スライサー１から落下することになる。
【００４０】
なお、図４（ｂ）に示すように、本体２の裏側面の両側に切欠き部２７を設けてもよい。これにより、食材スライサー１の下側に図示しないボウルを配置し、これらの切欠き部２７に、ボウルの上側外縁部が収容されるようになり、ボウル上で食材スライサー１を使用する際に、より安定した状態で食材４の切断を行うことができるようになる。
【００４１】
（食材スライサーの原材料）
また、本考案の食材スライサー１においては、製品の軽量化及び生産性、生産時の成形性などの観点から、本体２と支持部材２５，２６とが、樹脂原料から一体に成形されることが好ましい。
【００４２】
（食材ホルダーの一例）
また、本考案の食材スライサー１は、好ましくは、食材４を把持固定可能な食材ホルダー３をさらに備えることが好ましい。なお、図８（ｂ）及び図８（ｃ）は、異なる位置から見た食材ホルダー３の斜視図を示す。図８（ｂ）及び図８（ｃ）に示すように、例えば、突刺部３１と把持部３２とが設けられた食材ホルダー３（好ましくは、透明又は半透明な樹脂から作られた食材ホルダー３）を使用してもよい。食材４の一部を図示しない包丁等で切断し、この切断面に突刺部３１を突き刺すことで食材４を食材ホルダー３に把持固定することが可能になる（図９（ａ）を参照）。これにより、食材スライサー１を使用する際に使用者の指等が刃部２２に接触する危険性を減らすことができ、食材スライサー１の使用上の安全性が確保される。
【実施例２】
【００４３】
（食材スライサーを利用した電子レンジ調理用チップスメーカーの一例）
次に、実施例２として、図８及び図９を参照しながら、実施例１で説明した食材スライサー１を利用した電子レンジ調理用チップスメーカー６を説明する。実施例２のチップスメーカー６に使用される食材４としては、じゃが芋、さつま芋、れんこんなどが好ましい。
【００４４】
この実施例２の電子レンジ調理用チップスメーカー６は、上述の食材スライサー１（図８（ａ）も参照）の他に、食材スライサー１によって切断された食材片５を載置可能な載置部材７を備える（図８（ｄ）を参照）。さらに、上述の食材ホルダー３を備えていてもよい（図８（ｂ）及び図８（ｃ）を参照）。この載置部材７には、食材スライサー１によってスライスされた食材片５を部分的に支える複数の凸部７１が設けられていることが好ましい。このような載置部材７に食材片５を載置して、電子レンジにて食材片５を加熱すれば（図９（ｂ）を参照）、食材片５から出る水蒸気を食材片５の両面から逃がすことが可能になり、適度な乾燥状態を保持し、パリッとした食感の食材片５（チップス）を作りだすことができる（図９（ｃ）を参照）。
【産業上の利用可能性】
【００４５】
本考案の食材スライサーによれば、切断方向に一定の厚さを維持したまま食材の超薄切りが可能になる。特に、従来の同種の製品ではほぼ不可能であった、波形状を付与しながら食材の超薄切りを実現することが可能である。
【００４６】
さらに、本考案によれば、上述の食材スライサーに、この食材スライサーによって切断された食材片を載置可能な載置部材と、を組み合せることで、極めて薄い厚みを有した食材片を作り出し、さらにこの食材片を電子レンジで調理可能とする電子レンジ調理用チップスメーカーを提供することが可能となる。本考案により、従来、比較的厚い矩形断面のチップスしか調理できなかった一般家庭において、超薄切りのチップスや波状断面を有した超薄切りのチップスを容易かつ簡便に調理することができるようになり、チップス調理の幅が各段に広がるようになる。
【００４７】
このように、本考案の食材スライサー及び電子レンジ調理用チップスメーカーは、産業上の利用価値及び産業上の利用可能性が非常に高い。
【符号の説明】
【００４８】
１    食材スライサー
２    本体
３    食材ホルダー
４，４ａ，４ｂ，４ｃ    食材
５    食材片  
６    電子レンジ調理用チップスメーカー
７    載置部材
２１    第１滑走面
２１ａ    第１滑走面の一端
２２    刃部
２２ａ    刃部の一端
２２ｆ    平刃
２２ｗ    波刃
２３    第２滑走面
２４    開口部
２５，２６    支持部材
２６ａ    支持部材の排出ガイド
２７    切欠き部
３１    突刺部
３２    把持部
７１    凸部
Ｗｈ    波状断面における各波の波高
Ｄ    第１滑走面と刃部との段差
ｄ１，ｄ２    第１滑走面の一端又は刃部の一端における撓み
【図１】
0003183827.tif 000003
【図２】
0003183827.tif 000004
【図４】
0003183827.tif 000005
【図５】
0003183827.tif 000006
【図６】
0003183827.tif 000007
【図７】
0003183827.tif 000008
【図３】
0003183827.tif 000009
【図８】
0003183827.tif 000010
【図９】
0003183827.tif 000011